(57)【特許請求の範囲】
【請求項１】
第１層、第２層および第３層の織物１，２，３と、対向する織物を部分的に連結する一重織部５，７とで、３層の織物間に複数の層空間６，８を形成し、  
第１層織物１と第２層織物２との一重織部５は四辺が囲繞されたものと成し、
該一重織部５の中央部５ｂをメッシュ部と成して、層内外の部分連通を許容すると共に、  
第１層織物１と第２層織部２とで形成された層空間６にはコンクリート、モルタル、建設残土、または発泡スチロールを挿入し、  
第２層織物２と第３層織物３とで形成された層空間８には植生基盤材を挿入し、
該第３層織物３をメッシュ構造体に設定して、植生基盤材に含まれる植物の根を一重織部５の中央部５ｂにおけるメッシュ部から成長させ、植生基盤材に含まれる植物の茎部、葉部を第３層織物３を介して外方へ成長させるように構成した  
多層構造体。
【発明の詳細な説明】
【０００１】
【発明の属する技術分野】
この発明は、複数層の織物を連結して層状と成し、緑化機能、護岸機能または浮島を形成する浮力確保機能を得るような多層構造体に関する。
【０００２】
【従来の技術】
従来、織物構造体としては下側の織物と上側の織物とからなる二層織物を形成すると共に、下側の織物と上側の織物とを接結糸または一重織部で連結し、下側の織物と上側の織物との間の層間に内容物を挿注入すべく構成したものがあるが、この構造では単一の層間が形成されるのみであるから、単一の機能が確保されるに過ぎず、良好な緑化機能、護岸機能または浮島を形成する浮力確保機能を得ることができない問題点があった。
【０００３】
【発明が解決しようとする課題】
この発明は、３層の織物間に複数の層空間を形成し、第１層織物と第２層織物とで形成される層空間には、コンクリート、モルタル、建設残土、または発泡スチロールを挿入し、第２層織物と第３層織物とで形成される層空間には植生基盤材を挿入して、緑化機能、護岸機能または浮島を形成する浮力確保機能を得る多層構造体の提供を目的とする。
【０００４】
【課題を解決するための手段】
この発明の多層構造体は、第１層、第２層および第３層の織物と、対向する織物を部分的に連結する一重織部とで、３層の織物間に複数の層空間を形成し、第１層織物と第２層織物との一重織部は四辺が囲繞されたものと成し、該一重織部の中央部をメッシュ部と成して、層内外の部分連通を許容すると共に、第１層織部と第２層織物とで形成された層空間にはコンクリート、モルタル、建設残土、または発泡スチロールを挿入し、第２層織物と第３層織物とで形成された層空間には植生基盤材を挿入し、該第３層織物をメッシュ構造体に設定して、植生基盤材に含まれる植物の根を一重織部の中央部におけるメッシュ部から成長させ、植生基盤材に含まれる植物の茎部、葉部を第３層織物を介して外方へ成長させるように構成したものである。
【０００５】
上記構成により、各層間を一重織部で連結して各層間の一体化が図れ、かつ複数の層空間が形成されるので、これら層空間内部に使用目的に対応した機能を発揮する異種の内容物を挿入(注入、充填を含む)することができる。
すなわち、第１層織物と第２層織物とで形成された層空間にはコンクリート、モルタル、建設残土、または発泡スチロールを挿入することができ、第２層織物と第３層織物とで形成された層空間には植生基盤材を挿入することができるので、緑化機能、護岸機能または浮島を形成する浮力確保機能を得ることができる。
【０００６】
また、一重織部の中央部におけるメッシュ部から植生基盤材に含まれる植物の根を成長させることができ、メッシュ構造体の第３層織物から植生基盤材に含まれる植物の茎部、葉部を外方へ成長させることができる。
【０００７】
【実施例】
この発明の一実施例を以下図面に基づいて詳述する。
図面は緑化機能、護岸機能または浮島を形成する浮力確保機能を得るような
多層構造体を示し、図１、図２において１は第１層織物、２は第２層織物、３は第３層織物である。
【０００８】
上述の第１層織物１および第２層織物２はポリエステル長繊維(１０００De/205F）糸を用い、２重織部４と１重織部５とで構成し、２重織部４はタテ方向の長さＬ１、ヨコ方向の長さＬ２を共に約１５cmとし、織物１，２間に形成される層空間６（内容物挿入用の空間）を内容物挿入後の直径に演算した場合に、その値が約９．５cmになるように設定している。
【０００９】
上述の１重織物５は図１に示すように各辺５ａの幅Ｌ３を約３cmに設定して、四辺を囲繞し、中央部５ｂは層内外の部分連通が許容されるように、すだれ織（メッシュ部）としている。また、その組織は平織とし、密度は２０本／２．５４cmに設定している。
【００１０】
上述の第３層織物３はポリエステル長繊維（５００De/96F）糸を用い、組織を摸紗織とすることで、この第３層織物３を物質、成分の移動を許容する構造体の一例としてのメッシュ構造体に設定している。このメッシュ構造体の目合（網目）は例えば２mm角目に設定されている。
【００１１】
上述の第２層織物２と第３層織物３との接結は、部分的に１重織（１重織部７参照）と成すことで両者２，３を連結している。この１重織部７は例えば５cm角に設定され、第２層織物２の２重織部４中央において所定間隔毎に形成される。
このように第２層織物２と第３層織物３とを接結することで、これら織物２，３間には層空間８（内容物挿入用の空間）が形成される。
【００１２】
ここで、各織物１，２，３を構成するタテ糸は素材繊度および織物密度が異なるので、２ビーム送り出し装置（但し、複数の素材でタテ糸を構成する場合には２ビーム以上）を用い、ヨコ糸も素材繊度および織物密度が異なるので、２色供給装置（但し、複数の素材でヨコ糸を構成する場合には２色以上の多色供給装置）を用いる。なお、上述の例示した素材および繊度、密度等の数値は一例であって、これに限定されるものではない。また各層間の間隔は一重織部５，７の配置調整により任意に設定することができる。
【００１３】
このように図１、図２で示した多層構造体は、第１層、第２層および第３層の織物１，２，３と、対向する織物を部分的に連結する一重織部５，７とで、３層の織物間に複数の層空間６，８を形成し、第１層織物１と第２層織物２との一重織部５は四辺が囲繞されたものと成し、該一重織部５の中央部５ｂをメッシュ部と成して、層内外の部分連通を許容すると共に、第１層織部１と第２層織部２とで形成された層空間６にはコンクリート、モルタル、建設残土、または発泡スチロールを挿入し、第２層織物２と第３層織物３とで形成された層空間８には植生基盤材を挿入し、該第３層織物３をメッシュ構造体に設定して、植生基盤材に含まれる植物の根を一重織部５の中央部５ｂにおけるメッシュ部から成長させ、植生基盤材に含まれる植物の茎部、葉部を第３層織部３を介して外方へ成長させるように構成したものである。
【００１４】
このため、各層間つまり織物１，２間および織物２，３間を一重織部５，７で連結して各層間の一体化が図れ、かつ複数の層空間６，８が形成されるので、これら層空間６，８内部に使用目的に対応した機能を発揮する異種の内容物を挿入（注入、充填を含む）することができる。
すなわち、第１層織物１と第２層織物２とで形成された層空間６にはコンクリート、モルタル、建設残土、または発泡スチロールを挿入することができ、第２層織物２と第３層織物３とで形成された層空間８には植生基盤材を挿入することができるので、緑化機能、護岸機能または浮島を形成する浮力確保機能（但し、層空間６に発泡スチロールを挿入した場合）を得ることができる。
【００１５】
また、一重織部５の中央部５ｂにおけるメッシュ部から植生基盤材に含まれる植物の根を成長させることができ、メッシュ構造体の第３層織物３（摸紗織された第３層織物の網目つまり目合部分参照）から植生基盤材に含まれる植物の茎部、葉部を外方へ成長させることができる。
【００１６】
上述の多層構造体の使用目的と各層空間６，８の内部に挿入、注入または充填される内容物（異種の内容物）を例示すると、次の[表１]の如くなる。
【００１７】
【表１】
0003662462.tif 000002
上記［表１］に示すように浄化を目的として、層空間８に脱臭、脱色、精製性能を有する活性炭（ａｃｔｉｖｅ ｃａｒｂｏｎ）などの活性浄化材を、層空間６にコンクリートまたはモルタルを充填すると、これら異種内容物により浄化機能と河川法面の保護機能とを確保することができるので河川等の水の浄化および法面保護に用いることができる。
【００１８】
遮水を目的として、層空間８にポリウレタン等の充填が可能な遮水ポリマーを、層空間６にベントナイト（ｂｅｎｔｏｎｉｔｅ、火山灰の変質作用で形成される粘土状物質）を充填すると、これらの異種の内容物により遮水機能および基盤機能を確保することができるので、廃棄物処理場でのライニング用として用いることができる。
【００１９】
建設残土のリサイクルを目的として、層空間８に植生基盤材（土壌、種子等を含む客土材）を、層空間６に建設残土を充填すると、植生による緑化機能およびリサイクル機能を確保することができる。
【００２０】
防音（または吸音）および緩衝を目的として、層空間８に断熱性および吸音性に優れる発泡ウレタンを、層空間６にクッション性に優れる発泡スチロール（密度５〜７０kg/m２程度）を充填すると、これら異種の内容物により防音および緩衝機能を確保することができるので、岩盤の落下からの保護を図るロックシェット等として用いることができる。
【００２１】
ろ過を目的として、層空間８に砕石を、層空間６に砂を充填すると、ろ過率が異なる内容物によってろ過機能（フィルタ機能）を確保することができるので、例えば浄水場の水ろ過用に用いることができる。
【００２２】
浮島の形成を目的として、層空間８に植生基盤材（客土材）を、層空間６に低比重（例えば比重＝０．０２）の発泡スチロールを充填すると、植生による緑化機能および浮力確保機能を得することができる。
【００２３】
さらに、緑化および護岸を目的として、層空間８に植生基盤材（土壌、植物の種子や根などを含む客土材）を、層空間６にコンクリートまたはモルタルを充填すると、植生による緑化機能および護岸機能を確保することができる。
【００２４】
ここで、上述の層空間８に植生基盤材（客土材）を充填した場合、芝等の植物の根の部分は１重織部５のすだれ織部（中央部５ｂ参照）の間隙から地面中に成長し、茎部、葉部はメッシュ構造体に形成された第３層織物３の目合を介して多層構造体の外方（上方）へ成長する。
【００２５】
上記[表１]に例示した内容物の他に使用目的に対応して吸音材、断熱材、保水材、ろ過助剤その他の各種の異種内容物を任意に選定して挿入、注入または充填することができる。
図３、図４は多層構造体の他の例を示し、同図において１１は第１層織物、１２は第２層織物、１３は第３層織物である。
【００２６】
上述の第１層織物１１および第２層織物１２はポリエステル長繊維（１０００De/250F）糸を用い、組織は平織に設定し、密度はタテ方向、ヨコ方向共に２０本／2.54cmに設定している。
【００２７】
上述の第１層織物１１と第２層織物１２とを接結糸１４で連結して、これらの各織物１１，１２間に層空間１５（内容物挿入用の空間）を形成している。
ここで、上述の接結糸１４としては例えばポリエステルトワイン（２５０De×４８本）を用い、接結糸１４の配列は間隔Ｌ４＝６cmとし、この接結糸１４を第１層織物１１に対して長さＬ５＝１０cm組織させた後に、長さＬ６＝２２cm浮織し、その後、第２層織物１２に対して長さＬ７=１０cm組織させる構成を図３に示すように千鳥配置にして、全体の強度向上を図ったものである。
【００２８】
また、上述の接結糸１４の移行点においてはその前後のヨコ糸密度を他部に対して多く成して補強部１６を形成している。
さらに、上述の第３層織物１３はポリエステル長繊維（５００De/96F）糸を用い、組織を摸紗織とすることで、この第３層織物１３を物質、成分の移動を許容するメッシュ構造体に設定している。このメッシュ構造体の目合（網目）は例えば２mm角目に設定されている。
【００２９】
上述の第２層織物１２と第３層織物１３との接結は、部分的に１重織（１重織部１７参照）と成すことで両者１２，１３を連結している。この１重織部１７は例えば３cm角に設定され、ヨコ方向にあっては図４に示す如く第２織物１２の接結糸配列部位の中央部において接結糸配列１つ飛び毎（つまりヨコ方向に２本の接結糸１４，１４を隔てる毎）に設定し、タテ方向にあっては所定間隔たとえば９cm毎に形成される。
このように、第２層織物１２と第３層織物１３とを接結することで、これら織物２，３間には層空間１８（内容物挿入用の空間）が形成される。
【００３０】
ここで、各織物１１，１２，１３を構成するタテ糸は素材繊度および織物密度が異なるうえ、接結糸１４を用いるので、タテ方向にあっては３ビーム送り出し装置（但し、複数の素材でタテ糸を構成する場合には４ビーム以上）を用い、ヨコ方向にあってはヨコ糸の素材繊度および織物密度が異なるので、２色供給装置（但し、複数の素材でヨコ糸を構成する場合には２色以上の多色供給装置）を用いる。なお、上述の例示した素材および繊度、密度等の数値は一例であって、これに限定されるものではない。また各層間の間隔は接結糸１４の浮織長の調整または一重織部１７の配置調整により任意に設定することができる。
【００３１】
このように図３、図４で示した多層構造体は、２ビームまたはそれ以上の送出しビームを用いて、３層の織物１１，１２，１３と、対向する織物１１，１２および織物１２，１３を部分的に連結する接結糸１４または一重織部１７とで、上記３層の織物間（つまり織物１１，１２間および織物１２，１３間）に複数の層空間１５，１８を形成し、上記複数の層空間１５，１８には機能に対応した異種内容物を挿入すべく構成すると共に、少なくとも３層の織物１１，１２，１３のうち最表面の一層１３を物質、成分の移動を許容する構造体（メッシュ構造体）と成したものである。
【００３２】
このため、各層間つまり織物１１，１２間および織物１２，１３間を接結糸１４または一重織部１７で連結して各層間の一体化が図れ、かつ複数の層空間１５，１８が形成されるので、これら層空間１５，１８内部に使用目的に対応した機能を発揮する異種内容物を挿入（注入、充填を含む）することができる。
したがって、異種内容物に応じた複数機能または複合機能を確保することができる。
【００３３】
しかも、上述の３層の織物１１，１２，１３のうち少なくとも最表面の一層（第３層織物１３参照）を物質、成分の移動を許容する構造体としてのメッシュ構造体と成したものである。
このため、最表面のメッシュ構造体（摸紗織された第３層織物１３参照）の網目（目合部分）から物質、成分等の移動を許容することができる。
【００３４】
上述の多層構造体の使用目的と各層空間１５，１８の内部に挿入、注入または充填される異種内容物については先の実施例と同様である。
図５は多層構造体のさらに他の例を示し、この実施例では第１層織物２１と、第２層織物２２と、第３層織物２３と、ポリエステル長繊維（５００De/96F）糸による摸紗織にてメッシュ構造体に設定された第４層織物２４とで合計４層構造に成すと共に、これらの各層間には層空間２５，２６，２７（内容物挿入用の空間）を形成したものである。
【００３５】
上述の第１層乃至第３層の各組織物２１，２２，２３はポリエステル長繊維（１０００De/250F）糸を用い、組織は平織に設定し、密度はタテ方向、ヨコ方向に２０本／2.54cmに設定している。
【００３６】
また、上述の第１層織物２１と第２層織物２２とをポリエステルトワイン（２５０De×４８本）の接結糸２８を用いて図３、図４と同様に接続し、第２層織物２２と第３層織物２３とをポリエステルトワイン（２５０De×４８本）の接結糸２９を用いて同様に接結している。
【００３７】
さらに、第３層織物２３と第４層織物２４との接結は、部分的に１重織（１重織部３０参照）と成すことで、これら両織物２３，２４を連結し、上述の接結糸２８，２９と１重部３０とで合計４層の組織物２１，２２，２３，２４の一体化を図っている。
この場合、タテ方向にあっては複数ビーム送り出し装置を用い、ヨコ方向にあっては多色供給装置を用いて製造することができる。
【００３８】
図５に示すように、２ビームまたはそれ以上の送出しビームを用いて、織物２１〜２４を４層構造に成すと、合計３層の層空間２５，２６，２７が形成されるので、これら各層間隔２５〜２７の内部に使用目的に応じた内容物（異種の内容物）を挿入、注入または充填して、各種工業、農水産業、土木その他の産業用資材として広範囲に用いることができる。たとえば層空間２７に植生基盤材、層空間２６に保水材、層空間２５にコンクリートまたはモルタルを挿入、注入、充填してもよい。なお、図５に示すこの実施例においても、その他の点については先の実施例とほぼ同様であって、図５から明らかなように最表面の一層としての第４層織物２４は物質、成分の移動を許容すべくメッシュ構造体に設定されている。
【００３９】
【発明の効果】
この発明によれば、３層の織物間に複数の層空間を形成し、第１層織物と第２層織物とで形成される層空間には、コンクリート、モルタル、建設残土、または発泡スチロールを挿入し、第２層織物と第３層織物とで形成される層空間には植生基盤材を挿入するので、緑化機能、護岸機能または浮島を形成する浮力確保機能を得ることができる効果がある。
【図面の簡単な説明】
【図１】  本発明の多層構造体を一部切欠して示す平面図。
【図２】  図１のＡ−Ａ線矢視断面図。
【図３】  多層構造体の他の例を一部を分解して示す斜視図。
【図４】  図３のＢ−Ｂ線矢視断面図。
【図５】  多層構造体のさらに他の例を示す断面図。
【符号の説明】
１…第１層織物
２…第２層織物
３…第３層織物
５，７…１重織物
５ｂ…中央部
６，８…層空間
【図１】
0003662462.tif 000003
【図２】
0003662462.tif 000004
【図３】
0003662462.tif 000005
【図４】
0003662462.tif 000006
【図５】
0003662462.tif 000007